(57)【要約】【課題】コストを抑えたままデータ転送の効率化が図られた画像処理装置を提供する。【解決手段】プリンタ３０から通信インターフェース部２６を経由してエラーの通知を受けて、バッファ制御部２４で制御される画像バッファ２３上に、プリンタ３０から既に排出された用紙上に形成された画像のうちの最終の画像に続く次の画像以降の画像に対応する画像データが画像バッファ２３上に格納できるだけ格納された状態を回復するのに、ＲＩＰ１０から通信インターフェース部２２を経由して再度受け取る必要のある画像データが最小となるように画像処理部２５でデータ回復処理を行なう。【選択図】        図１
2004194052.tif 000002
【特許請求の範囲】
【請求項１】
所定の画像送出装置から送り出された画像データを受け取り、受け取った画像データを、画像データに基づいて記録媒体上に画像を形成するプリンタに向けて送り出す画像処理装置において、
前記プリンタが、画像１枚ごとに、画像データを受け取った後の段階での記録完了と、該プリンタから画像が形成された記録媒体を排出した段階での記録媒体排出完了とに分けてこの画像処理装置に通知するとともに、該プリンタにエラーが生じたときにこの画像処理装置にエラーを通知するプリンタであって、
この画像処理装置が、
画像データを上書き自在に格納しておくバッファを有し、前記画像送出装置から受け取った画像データを、該バッファに、該バッファの格納領域を循環的に使うとともに該プリンタから記録完了通知を受けた画像データ上への上書きを許容して格納する画像格納部と、
前記バッファに格納された画像データを該プリンタに送り出す画像送出部と、
前記プリンタからのエラーの通知を受けて、前記バッファ上に、前記プリンタから既に排出された記録媒体上に形成された画像のうちの最終の画像に続く次の画像以降の画像に対応する画像データが該バッファ上に格納できるだけ格納された状態を回復するのに前記画像送出装置から再度受け取る必要のある画像データが最小となるようにデータ回復処理を行なうデータ回復処理部とを備えたことを特徴とする画像処理装置。
【請求項２】
前記画像データ回復部は、前記状態を回復するのに前記画像送出装置から再度受け取る画像データが画像枚数にして最小となるようにデータ回復処理を行なうものであることを特徴とする請求項１記載の画像処理装置。
【請求項３】
前記画像データ回復部は、前記プリンタからの記録完了通知により上書きが許容された画像データであって、かつ上書き未開始の画像データについて上書きを禁止する処理を含むデータ回復処理を行なうものであることを特徴とする請求項１記載の画像処理装置。
【発明の詳細な説明】
【０００１】
【発明の属する技術分野】
本発明は、所定の画像送出装置から送り出された画像データを受け取り、受け取った画像データをプリンタに向けて送り出す画像処理装置に関する。
【０００２】
【従来の技術】
従来より、印刷業界ではパーソナルコンピュータ等を使って文書の編集や印刷を行なうＤＴＰ（Ｄｅｓｋ  Ｔｏｐ  Ｐｕｂｌｉｓｈｉｎｇ）システムが広く用いられている。このＤＴＰシステムでは、パーソナルコンピュータ等の編集用ワークステーション上で編集用ソフトウェア（編集用アプリケーション）を用いて、画像を表わす絵柄，テキスト，線画等のレイアウトを決める編集作業をページ記述言語（ＰＤＬ：Ｐａｇｅ  Ｄｅｓｃｒｉｐｔｉｏｎ  Ｌａｎｇｕａｇｅ）を使用して行ない、その結果をＰＳ（Ｐｏｓｔ  Ｓｃｒｉｐｔ）データやＰＤＦ（Ｐｏｒｔａｂｌｅ  Ｄｏｃｕｍｅｎｔ  Ｆｏｒｍａｔ）データ等で出力する。出力されたＰＳデータやＰＤＦデータ等は、いわゆるプリンタサーバであるＲＩＰ（Ｒａｓｔｅｒ  Ｉｍａｇｅ  Ｐｒｏｃｅｓｓｏｒ）に入力される。
【０００３】
ＲＩＰは、入力されたＰＳデータを印刷用のラスタイメージデータ（画像データ）に変換して画像処理装置に出力する。ここで、ＲＩＰは、画像処理装置に画像データを出力するにあたり、ページ単位で画像データを次々に出力する。
【０００４】
画像処理装置には、複数ページ分の画像データを格納する画像バッファが備えられている。画像処理装置は、ＲＩＰからページ単位で出力される画像データを上記画像バッファに順次格納し、格納した画像データをページ単位でプリンタに出力する。
【０００５】
プリンタは、画像処理装置からの画像データをページ単位で受け取って、例えばＡ４サイズの用紙に印刷するプリンタであり、必要な時に必要な情報を即座に印刷することができる、いわゆるオンデマンド印刷用プリンタが好適に用いられる。さらに詳細には、感光体上に形成された静電潜像をイエロー（Ｙ），マゼンタ（Ｍ），シアン（Ｃ），ブラック（Ｋ）の各色のトナーで現像して、その感光体上に各色のトナー像を形成し、その感光体から各色のトナー像を中間転写体ベルト上に転写し、加熱を含むプロセスにより用紙上に定着トナー像からなる画像を形成する電子写真方式のプリンタが好適に用いられる。
【０００６】
プリンタからは、画像１枚ごとに、画像データを受け取った後の段階での記録完了と、そのプリンタから画像が形成された用紙を排出した段階での用紙排出完了とが画像処理装置に通知される。また、プリンタからは、そのプリンタにエラーが生じたときに画像処理装置にエラーが通知される。
【０００７】
上述した、ＲＩＰ、画像処理装置、およびプリンタからなるシステムにおいて、複数枚の画像を複数枚の用紙に連続して印刷する場合、先ず、ＲＩＰから画像処理装置に複数枚分の画像データが出力される。これらの画像データは、画像処理装置の画像バッファに一旦格納されてからプリンタに送られる。プリンタは、これらの画像データを受け取った時点で画像処理装置に記録完了を通知する。すると、画像処理装置は、ＲＩＰからの新たな画像データを画像バッファに上書きする。次いで、プリンタから画像処理装置を経由してＲＩＰに用紙排出完了の旨の信号が送られる。この用紙排出完了の旨の信号は、記録完了の旨の信号が送られてから、例えば３０秒後に送られる。
【０００８】
ここで、プリンタの中間転写体ベルト上にトナー像が転写される転写工程以降で、用紙切れやジャムが発生する場合がある。その場合、プリンタから画像処理装置にエラーが通知される。さらに、このエラーは画像処理装置を経由してＲＩＰに通知される。ここで、プリンタは、複数枚分の画像データの記録を全て完了したものの、そのプリンタの中間転写体ベルト上には仕掛かり中の用紙が何枚か存在しており、用紙の排出が完全に完了していない状態にある。このような状態では、画像処理装置の画像バッファには、プリンタに未だ出力していない画像データが格納されている。しかし、プリンタからエラーが通知されると、画像処理装置の画像バッファには、再度、ＲＩＰからの、プリンタに未だ出力されていない画像データを含む画像データが格納される。従って、データ転送の効率が悪いという問題がある。
【０００９】
そこで、先入れ先出しメモリ（ＦＩＦＯメモリ）を備え、スキャナやプリンタ等の画像入出力機器に対して相互に独立に且つ同時にデータ転送を行なうことのできる画像処理装置が提案されている（例えば、特許文献１参照）。
【００１０】
また、先入れ先出しメモリ（ＦＩＦＯメモリ）を備え、データバスを時分割して使用することによりデータ転送を効率よく行なうことのできる画像処理装置も提案されている（例えば、特許文献２参照）。
【００１１】
さらに、プリンタにおける露光処理が終了するまでハードディスクにプリントデータを残しておくことにより、エラー処理においてプリントデータの再送出を無くしてデータ転送を効率よく行なうことのできる画像処理装置も提案されている（例えば、特許文献３参照）。
【００１２】
【特許文献１】
特開平０９−２９８６２４号公報（段落番号００５１−段落番号０  ０５５、第６図，第７図）
【特許文献２】
特開平１１−０６５７８６号公報（段落番号００５９、第１図）
【特許文献３】
特開２００１−２６０４５６号公報（段落番号００５２−段落番号００６５、第８図）
【００１３】
【発明が解決しようとする課題】
しかし、上述した特許文献１，２に提案された技術では、データ転送を効率よく行なうために、先入れ先出しメモリ（ＦＩＦＯメモリ）を備える必要がある。また、特許文献３では、露光処理が終了するまでハードディスクにプリントデータを残しておく必要がある。このため、データ転送を効率よく行なうにあたり、大きなメモリ容量が必要であり、従ってコストアップするという問題がある。
【００１４】
本発明は、上記事情に鑑み、コストを抑えたままデータ転送の効率化が図られた画像処理装置を提供することを目的とする。
【００１５】
【課題を解決するための手段】
上記目的を達成する本発明の画像処理装置は、所定の画像送出装置から送り出された画像データを受け取り、受け取った画像データを、画像データに基づいて記録媒体上に画像を形成するプリンタに向けて送り出す画像処理装置において、上記プリンタが、画像１枚ごとに、画像データを受け取った後の段階での記録完了と、そのプリンタから画像が形成された記録媒体を排出した段階での記録媒体排出完了とに分けてこの画像処理装置に通知するとともに、そのプリンタにエラーが生じたときにこの画像処理装置にエラーを通知するプリンタであって、
この画像処理装置が、
画像データを上書き自在に格納しておくバッファを有し、上記画像送出装置から受け取った画像データを、そのバッファに、そのバッファの格納領域を循環的に使うとともにそのプリンタから記録完了通知を受けた画像データ上への上書きを許容して格納する画像格納部と、
上記バッファに格納された画像データをそのプリンタに送り出す画像送出部と、
上記プリンタからのエラーの通知を受けて、上記バッファ上に、上記プリンタから既に排出された記録媒体上に形成された画像のうちの最終の画像に続く次の画像以降の画像に対応する画像データがそのバッファ上に格納できるだけ格納された状態を回復するのに上記画像送出装置から再度受け取る必要のある画像データが最小となるようにデータ回復処理を行なうデータ回復処理部とを備えたことを特徴とする。
【００１６】
本発明の画像処理装置は、プリンタからエラー通知を受けて、バッファ上に格納された画像データの回復処理を行なうにあたり、画像送出装置から、そのバッファ上に格納された画像データを回復するのに必要な画像データのみ再送すれば済む。従って、データ転送の効率化が図られる。また、画像データの回復処理にあたり、大きなメモリ容量を必要とすることもなく、コストアップを抑えることができる。
【００１７】
ここで、上記画像データ回復部は、上記状態を回復するのに上記画像送出装置から再度受け取る画像データが画像枚数にして最小となるようにデータ回復処理を行なうものであることが好ましい。
【００１８】
このように、再度受け取る画像データが画像枚数にして最小になるように回復処理を行なうと、バッファの、回復処理のための容量が少なくて済む。
【００１９】
また、上記画像データ回復部は、上記プリンタからの記録完了通知により上書きが許容された画像データであって、かつ上書き未開始の画像データについて上書きを禁止する処理を含むデータ回復処理を行なうものであることも好ましい態様である。
【００２０】
このようにすると、データ回復処理にあたり、画像データへの上書きの許容と禁止とを簡単に区別することができる。
【００２１】
【発明の実施の形態】
以下、本発明の実施形態について説明する。
【００２２】
図１は、本発明の画像処理装置の一実施形態が組み込まれたシステムを示す図である。
【００２３】
図１には、ＲＩＰ（Ｒａｓｔｅｒ  Ｉｍａｇｅ  Ｐｒｏｃｅｓｓｏｒ）１０と本実施形態の画像処理装置２０と、プリンタ３０とが示されている。
【００２４】
ＲＩＰ１０は、本発明にいう所定の画像送出装置の一例に相当し、図示しないパーソナルコンピュータ等の編集用ワークステーションからのＰＳ（Ｐｏｓｔ  Ｓｃｒｉｐｔ）データを入力し、入力されたＰＳデータを印刷用のラスタイメージデータ（画像データ）に変換する。ＲＩＰ１０で変換された画像データおよびその画像データを制御するための制御コマンドは、画像データ通信経路および制御コマンド経路を経由して画像処理装置２０に出力される。尚、ＲＩＰ１０は、画像処理装置２０に画像データを出力するにあたり、ページ単位で画像データを順次に出力する。
【００２５】
画像処理装置２０は、ＢＥＰ（Ｂａｃｋ  Ｅｎｄ  Ｐｒｏｃｅｓｓｏｒ）と呼ばれる通信ユニットＩ／Ｆ装置であり、この画像処理装置２０は、ＲＩＰ１０からページ単位で出力された画像データを受け取り、受け取った画像データをページ単位でプリンタ３０に向けて出力する。
【００２６】
この画像処理装置２０には、ＣＰＵ２１と、通信インターフェース部２２と、画像バッファ２３と、バッファ制御部２４と、画像処理部２５と、通信インターフェース部２６とが備えられている。
【００２７】
ＣＰＵ２１は、この画像処理装置２０全体を制御する。
【００２８】
通信インターフェース部２２は、ＲＩＰ１０からの画像データおよび制御コマンドを受け取る。
【００２９】
画像バッファ２３は、通信インターフェース部２２で受け取った画像データを上書き自在に格納しておくバッファである。
【００３０】
バッファ制御部２４は、本発明にいう画像格納部の一例に相当し、通信インターフェース２２部からの画像データを、画像バッファ２３に、その画像バッファ２３の格納領域を循環的に使うとともにプリンタ３０から制御コマンド通信路を経由して記録完了通知を受けた画像データ上への上書きを許容して格納する。本実施形態では、プリンタ３０が画像処理装置２０からの画像データを受け取った時点で記録完了を画像処理装置２０に通知する。このような記録完了通知が、本発明にいう画像データを受け取った後の段階での記録完了通知の一例に相当する。
【００３１】
画像処理部２５は、本発明にいうデータ回復処理部の一例に相当し、プリンタ３０から制御コマンド通信路を経由してエラーの通知を受けて、画像バッファ２３上に、プリンタ３０から既に排出された用紙上に形成された画像のうちの最終の画像に続く次の画像以降の画像に対応する画像データが画像バッファ２３上に格納できるだけ格納された状態を回復するのにＲＩＰ１０から再度受け取る必要のある画像データが最小となるようにデータ回復処理を行なう。
【００３２】
さらに詳細には、この画像処理部２５は、上記状態を回復するのにＲＩＰ１０から再度受け取る画像データが画像枚数にして最小となるようにデータ回復処理を行なう。また、この画像処理部２５は、プリンタ３０から制御コマンド通信路を経由して記録完了通知を受け取り、その記録完了通知により上書きが許容された画像データであって、かつ上書き未開始の画像データについて上書きを禁止する処理を含むデータ回復処理を行なうものでもある。
【００３３】
通信インターフェース部２６は、画像バッファ２３に格納された画像データを、画像１枚分ずつ、画像データ通信路を経由してプリンタ３０に送り出す。
【００３４】
プリンタ３０は、画像処理装置２０からの画像データを、画像１枚分ずつ受け取って、所定の用紙に印刷する。このプリンタ３０は、必要な時に必要な情報を即座に印刷することができる、いわゆるオンデマンド印刷用プリンタである。さらに詳細には、このプリンタ３０は、感光体上に形成された静電潜像をイエロー（Ｙ），マゼンタ（Ｍ），シアン（Ｃ），ブラック（Ｋ）の各色のトナーで現像して、その感光体上に各色のトナー像を形成し、その感光体から各色のトナー像を中間転写体ベルトに転写し、加熱を含むプロセスにより用紙上に定着トナー像からなる画像を形成する電子写真方式のプリンタである。
【００３５】
図２は、図１に示すシステムにおける制御コマンド通信路および画像データ通信路を伝送する各種の情報を示す図である。
【００３６】
ＲＩＰ１０と画像処理装置２０との間における制御コマンド通信路には、画像枚数等を示す記録条件と、用紙排出完了と、画像データ再転送との情報が伝送される。また、ＲＩＰ１０と画像処理装置２０との間における画像データ通信路には、画像１枚分ずつの画像データが伝送される。
【００３７】
一方、画像処理装置２０とプリンタ３０との間における制御コマンド通信路には、記録条件と、記録指示と、記録完了と、用紙排出完了と、エラー（用紙排出エラー等）を示すエラー通知との情報が伝送される。また、画像処理装置２０とプリンタ３０との間における画像データ通信路には、画像１枚分ずつの画像データが伝送される。
【００３８】
図３は、プリンタから画像処理装置に向けてエラー通知が行われない場合の基本シーケンスを示す図である。
【００３９】
先ず、ＲＩＰ１０から画像処理装置２０に向けて、１回目の記録条件（１），画像データ（１）が送られる。これを受けて、画像処理装置２０からプリンタ３０に向けて、１回目の記録条件（１），記録指示（１），画像データ（１）が送られる。これにより、プリンタ３０は、上述した電子写真方式のプロセスによる画像形成を開始する。
【００４０】
次いで、ＲＩＰ１０から画像処理装置２０に向けて、２回目の記録条件（２）が送られる。ここで、プリンタ３０から画像処理装置２０に向けて、１回目の記録完了（１）が送られる。引き続き、ＲＩＰ１０から画像処理装置２０に向けて、２回目の画像データ（２）が送られる。これを受けて、画像処理装置２０からプリンタ３０に向けて、２回目の記録条件（２），記録指示（２），画像データ（２）が送られる。このようにして、ＲＩＰ１０から画像処理装置２０に向けて、Ｎ回目までの記録条件（Ｎ），画像データ（Ｎ）が順次に送られる。
【００４１】
さらに、プリンタ３０から画像処理装置２０に向けて、２回目の記録完了（２）が送られ、やがて１回目の用紙排出完了（１）が送られてくる。これを受けて、画像処理装置２０からＲＩＰ１０に向けて、この１回目の用紙排出完了（１）が送られる。このように、ここでは、ＲＩＰ１０から画像処理装置２０に向けてＮ回目までの記録条件（Ｎ），画像データ（Ｎ）が送られ、その後にプリンタ３０から１回目の用紙排出完了（１）が送られてくることとなる。
【００４２】
さらに、プリンタ３０から画像処理装置２０に向けて、２回目の用紙排出完了（２）が送られ、その画像処理装置２０からＲＩＰ１０に向けて、この２回目の用紙排出完了（２）が送られる。
【００４３】
以下、画像処理装置２０からプリンタ３０に向けて、Ｎ回目までの記録条件（Ｎ），記録指示（Ｎ），画像データ（Ｎ）が送られ、次いでプリンタ３０から画像処理装置２０に向けてＮ回目の記録完了（Ｎ）が送られる。所定時間経過後、最終的に、プリンタ３０から画像処理装置２０に向けてＮ回目の用紙排出完了（Ｎ）が送られてこのシーケンスが終了する。
【００４４】
図４は、比較例としての画像処理装置に向けて、プリンタからエラー通知が行なわれた場合のエラーシーケンスを示す図である。
【００４５】
図３を参照して説明したと同様にして、ＲＩＰ１０から、比較例としての画像処理装置１００を経由してプリンタ３０に向けて２回にわたり画像データが送られ、その後プリンタ３０から画像処理装置１００に向けて２回目の記録完了（２）が送られる。次いで、プリンタ３０から画像処理装置１００に向けてエラー通知（１）が送られる。このエラー通知（１）は、１枚目の用紙が排出される以前に用紙切れやジャム等に起因して発生したエラーによるものである。
【００４６】
すると、画像処理装置１００は、これを受けて、ＲＩＰ１０に対して、１回目の画像データ（１）を再送する旨の画像データ再転送（１），２回目の画像データ（２）を再送する旨の画像データ再転送（２）を順次に送る。ＲＩＰ１０は、これを受けて、画像処理装置１００に対して、１回目の画像データ（１），２回目の画像データ（２）を再送する。このように、プリンタ３０から画像処理装置１００に向けてエラー通知が送られてきた場合は、ＲＩＰ１０から画像処理装置１００に向けて、再度、全ての画像データが転送される。
【００４７】
図５は、本実施形態の画像処理装置に向けて、プリンタからエラー通知が行なわれた場合のエラーシーケンスを示す図である。
【００４８】
ＲＩＰ１０から画像処理装置２０を経由してプリンタ３０に向けて２回にわたり画像データが送られ、次いでプリンタ３０から画像処理装置２０に向けて２回目の記録完了（２）が送られる。さらに、プリンタ３０から画像処理装置２０に向けてエラー通知（１）が送られる。
【００４９】
すると、画像処理装置２０は、ＲＩＰ１０に対して、１回目の画像データ（１）を再送する旨の画像データ再転送（１）のみ送る。ＲＩＰ１０は、これを受けて、画像処理装置２０に対して、１回目の画像データ（１）のみ再送する。このように、本実施形態の画像処理装置２０は、ＲＩＰ１０に対して、エラー通知（１）に対応する画像データ再転送（１）のみ送るものであるため、ＲＩＰ１０から画像処理装置２０に向けて、１回目の画像データ（１）のみ再送するだけで済む。従って、データ転送の効率が高まる。また、従来の、データ転送を効率よく行なうために大きなメモリ容量を必要とする技術と比較し、コストを抑えることができる。
【００５０】
図６は、比較例としての画像処理装置に向けて、ＲＩＰから画像データが転送される様子を示す模式図である。
【００５１】
ここでは、画像処理装置１００に備えられた画像バッファ（以下、単にバッファと記述する）の容量は、５ページ分であるものとして説明する。
【００５２】
時刻ｔ１でＲＩＰ１０から画像処理装置１００に向けて１枚目の画像データＰ１が送られる。すると、バッファに画像データＰ１が格納される。
【００５３】
次いで、時刻ｔ２でＲＩＰ１０から画像処理装置１００に向けて２枚目の画像データＰ２が送られる。すると、バッファには、画像データＰ１の格納に加え、画像データＰ２も格納される。また、画像データＰ１は、プリンタ３０に送られて記録される。
【００５４】
さらに、時刻ｔ３でＲＩＰ１０から画像処理装置１００に向けて３枚目の画像データＰ３が送られて、バッファには画像データＰ１，Ｐ２の格納に加え、さらに画像データＰ３も格納される。ここで、画像データＰ１は、プリンタ３０に記録されたため、消去可能な状態になる。次いで、画像データＰ２がプリンタ３０に記録される。
【００５５】
時刻ｔ４では４枚目の画像データＰ４が送られて、バッファには画像データＰ１，Ｐ２，Ｐ３，Ｐ４が格納される。
【００５６】
さらに、時刻ｔ５では５枚目の画像データＰ５が送られる。すると、バッファに格納されている画像データＰ１がこの画像データＰ５で上書きされる。従って、バッファには画像データＰ５，Ｐ２，Ｐ３，Ｐ４が格納される。また、画像データＰ２は消去可能な状態になる。さらに、画像データＰ３がプリンタ３０に記録される。
【００５７】
時刻ｔ６で、プリンタ３０から画像処理装置１００に向けて、１枚目の画像データＰ１に対する用紙排出エラーが送られる。すると、図４を参照して説明したように、ＲＩＰ１０から画像処理装置１００に向けて、再度全ての画像データＰ１，Ｐ２，Ｐ３，Ｐ４，Ｐ５の転送が行なわれる。このため、バッファの内容が全て破棄されることとなる。以下、最初の時刻ｔ１の状態と同様に、時刻ｔ７で画像データＰ１の再送が行われ、時刻ｔ８で画像データＰ２の再送が行なわれることとなる。
【００５８】
図７は、本実施形態の画像処理装置に向けて、ＲＩＰから画像データが転送される様子を示す模式図である。
【００５９】
時刻ｔ１から時刻ｔ５までは、図６を参照して説明したものと同じであるため、説明は省略する。
【００６０】
時刻ｔ６で、本実施形態の画像処理装置２０に向けて、プリンタ３０から１枚目の画像データＰ１に対する用紙排出エラーが送られる。すると、画像データＰ５だけが破棄される。即ち、この図７に示すように、時刻ｔ７で画像データＰ１の再送のみが行われる。また、画像データＰ２の消去可能な状態が取り消される処理が行なわれる。さらに、時刻ｔ８で上記画像データＰ１がプリンタ３０に記録される。
【００６１】
尚、消去可能な状態にある画像データが、本発明にいうプリンタからの記録完了通知により上書きが許容された画像データに相当し、消去可能な状態が取り消される処理が、本発明にいう上書き未開始の画像データについて上書きを禁止する処理に相当する。
【００６２】
また、本実施形態では、本発明にいう画像送出部として、画像バッファ２３に格納された画像データを、画像１枚分ずつ、プリンタ３０に送り出す画像処理部２５を備えた例で説明したが、これに限られるものではなく、本発明にいう画像送出部は、バッファに格納された画像データをプリンタに送り出すものであればよい。
【００６３】
【発明の効果】
以上説明したように、本発明の画像処理装置によれば、コストを抑えたままデータ転送の効率化が図られる。
【図面の簡単な説明】
【図１】本発明の画像処理装置の一実施形態が組み込まれたシステムを示す図である。
【図２】図１に示すシステムにおける制御コマンド通信路および画像データ通信路を伝送する各種の情報を示す図である。
【図３】プリンタから画像処理装置に向けてエラー通知が行われない場合の基本シーケンスを示す図である。
【図４】比較例としての画像処理装置に向けて、プリンタからエラー通知が行なわれた場合のエラーシーケンスを示す図である。
【図５】本実施形態の画像処理装置に向けて、プリンタからエラー通知が行なわれた場合のエラーシーケンスを示す図である。
【図６】比較例としての画像処理装置に向けて、ＲＩＰから画像データが転送される様子を示す模式図である。
【図７】本実施形態の画像処理装置に向けて、ＲＩＰから画像データが転送される様子を示す模式図である。
【符号の説明】
１０  ＲＩＰ
２０，１００  画像処理装置
２１  ＣＰＵ
２２，２６  通信インターフェース部
２３  画像バッファ
２４  バッファ制御部
２５  画像処理部
３０  プリンタ
【図１】
2004194052.tif 000003
【図２】
2004194052.tif 000004
【図３】
2004194052.tif 000005
【図４】
2004194052.tif 000006
【図５】
2004194052.tif 000007
【図６】
2004194052.tif 000008
【図７】
2004194052.tif 000009